(57)【要約】【課題】光ディスク装置において、ローディングモータの駆動力の伝達系におけるギヤ間で歯相互間の脱着を行うことなく、エマージェンシーイジェクト動作を行えるようにする。【解決手段】ローディングモータとディスク移動機構との間で伝達系を構成するギヤ列中のギヤユニットのうちの少なくとも１つを、大径の従動用ギヤの内径側において原動用ギヤが軸方向に移動可能かつ該従動用ギヤと一体で回転可能に結合されると共に、該原動用ギヤは、該従動用ギヤに対して軸方向に移動変位することにより、次段のギヤとの係合を保持したまま該従動用ギヤとの上記結合を解除される構成とし、エマージェンシーイジェクト時、手動による外力によって上記結合を解除して上記伝達系を切断状態とし、上記ディスク移動機構に該外力によるディスク排出動作を行わせ、光ディスクを装置外に排出させる構成とする。【選択図】図８
2010080034.tif 000002
【特許請求の範囲】
【請求項１】
光ディスクのエマージェンシーイジェクト動作が可能な光ディスク装置であって、
上記光ディスクを装置内部で移動させるディスク移動機構と、
上記ディスク移動機構を駆動するための駆動力を発生するローディングモータと、
ギヤを備えて構成され、上記ローディングモータの駆動力を上記ディスク移動機構に伝達する伝達系と、
を備え、
上記伝達系には、前段のギヤから駆動力を受ける従動用ギヤと、該従動用ギヤと同軸に配されて次段のギヤに駆動力を与える原動用ギヤとが設けられ、該従動用ギヤの内径側において該原動用ギヤが軸方向に移動可能かつ該従動用ギヤと一体で回転可能に結合されると共に、該原動用ギヤは、該従動用ギヤに対して軸方向に移動変位することにより、次段のギヤと係合されたままの状態で該従動用ギヤとの上記結合を解除される構成であることを特徴とする光ディスク装置。
【請求項２】
光ディスクのエマージェンシーイジェクト動作が可能な光ディスク装置であって、
上記光ディスクを装置内部で移動させるディスク移動機構と、
上記ディスク移動機構を駆動するための駆動力を発生するローディングモータと、
上記ローディングモータの駆動力を上記ディスク移動機構に伝達する伝達系を形成するギヤ列と、
を備え、
上記ギヤ列が、前段のギヤから駆動力を受ける従動用ギヤと、該従動用ギヤと同軸に配されて次段のギヤに駆動力を与える原動用ギヤとを有するギヤユニットを複数個設けた構成であり、
上記複数個のギヤユニットのうち少なくとも１つが、従動用ギヤである第１のギヤの内径側において原動用ギヤである第２のギヤが軸方向に移動可能かつ該従動用ギヤと一体で回転可能に結合されると共に、該第２のギヤは、該第１のギヤに対して軸方向に移動変位することにより、次段のギヤと係合されたままの状態で該第１のギヤとの上記結合を解除される構成であり、
エマージェンシーイジェクト時、外力によって、上記第２のギヤを軸方向に移動変位させて上記第１のギヤとの上記結合を解除し、上記伝達系を切断状態にして、上記ディスク移動機構にディスク排出動作を行わせ上記光ディスクを装置外に排出させる構成としたことを特徴とする光ディスク装置。
【請求項３】
光ディスクのエマージェンシーイジェクト動作が可能な光ディスク装置であって、
上記光ディスクを装置内部で移動させるディスク移動機構と、
上記ディスク移動機構を駆動する駆動力を発生するローディングモータと、
上記ローディングモータと上記ディスク移動機構との間に配され、該ローディングモータの駆動力を該ディスク移動機構に伝達する伝達系を形成するギヤ列と、
光ディスクが引き込まれる方向と同方向に移動して上記ギヤ列中の少なくとも１つのギヤに軸方向の押圧力を与える押圧部材と、
上記押圧部材上に設けられた回動支点において該押圧部材に結合され、該回動支点の両側に伸びたアーム部が該回動支点周りに回動可能なアーム部材と、
上記押圧部材に対し上記移動に抗する方向の弾性復元力を作用させるばねと、
上記ディスク移動機構、上記ローディングモータ及び上記ギヤ列が取付けられたシャーシと、
を備え、
上記ギヤ列は、前段のギヤから駆動力を受ける従動用ギヤと、該従動用ギヤと同軸に配されて次段のギヤに駆動力を与える原動用ギヤとを有するギヤユニットを複数個設けた構成であり、かつ、該複数個のギヤユニットのうち少なくとも１つが、従動用ギヤである第１のギヤの内径側において原動用ギヤである第２のギヤが軸方向に移動可能かつ該従動用ギヤと一体で回転可能に結合されると共に、該第２のギヤは、該第１のギヤに対して軸方向に移動変位することにより、次段のギヤと係合されたままの状態で該第１のギヤとの上記結合を解除される構成であり、
上記アーム部材は、装置内にエマージェンシーイジェクト動作用のピンが差し込まれたとき、上記アーム部のうち、一方のアーム部が該ピンの先端によって押され、他方のアーム部が上記シャーシの内面側に当接した状態のまま、上記ばねの弾性復元力に抗して光ディスクの引き込まれる方向と同方向に移動しながら上記回動支点周りに回動し、上記ピンの先端が上記一方のアーム部から外れたとき移動及び回動を停止する構成であり、
上記押圧部材は、装置内に上記ピンが差し込まれたとき、上記アーム部材の上記移動により上記ばねの弾性復元力に抗して光ディスクの引き込まれる方向と同方向に移動し、該移動によって、上記１つのギヤユニットの上記第２のギヤに軸方向の押圧力を与えて該第２のギヤを該軸方向に移動変位させ、上記第１のギヤとの上記結合を解除させる構成であり、
上記第２のギヤの上記第１のギヤとの上記結合が解除され、上記伝達系が切断状態とされているとき、上記ピンがさらに移動して上記ディスク移動機構にディスク排出動作を行わせ上記光ディスクを装置外に排出させる構成としたことを特徴とする光ディスク装置。
【請求項４】
上記第１のギヤは、上記第２のギヤと結合される内径側の部分に半径方向内側に突出した複数の第１の突出部を有し、また、上記第２のギヤは、上記第１のギヤと結合される部分に、半径方向外側に突出しかつ上記第１の突出部間の周方向の間隔よりも周方向の幅寸法を小さくされた複数の第２の突出部を有し、該第２のギヤが軸方向に移動変位して該第２の突出部が該第１の突出部に対し軸方向に重ならなくなったとき、該第１、第２のギヤ間の上記結合が解除されて、上記ギヤ列による伝達系が切断状態とされる構成である請求項２または請求項３に記載の光ディスク装置。
【請求項５】
上記第１のギヤは、上記ローディングモータの回転軸に結合されたギヤと係合される構成である請求項２から４のいずれかに記載の光ディスク装置。
【請求項６】
上記第２のギヤは、上記押圧部材で押される位置に、全周に傾斜面が形成された被押圧部を備えた構成である請求項２または請求項３に記載の光ディスク装置。
【請求項７】
上記１つのギヤユニットは、上記第１のギヤと上記第２のギヤとの間にばねを備え、該第２のギヤが該ばねの弾性復元力により軸方向に押された構成である請求項２または請求項３のいずれかに記載の光ディスク装置。
【請求項８】
上記アーム部材は、上記移動及び回動を停止した状態のとき、上記一方のアーム部が上記ピンの側面に当接し、上記他方のアーム部が上記シャーシの内面側に当接し、上記回動支点が該両当接位置間にある構成である請求項３に記載の光ディスク装置。
【発明の詳細な説明】
【技術分野】
【０００１】
本発明は、光ディスク装置の構成に係り、特に、非常時に光ディスクを排出するすなわちエマージェンシーイジェクトを行うための構成に関する。
【背景技術】
【０００２】
本発明に関連した従来技術であって特許文献に記載された技術としては、例えば、特開平６−１８０９１８号公報（特許文献１）、特開２００４−３１０８１３号公報（特許文献２）及び特開２００７−２２０２７６号公報（特許文献３）に記載されたものがある。特開平６−１８０９１８号公報には、記録再生装置において、緊急時に、装置から記録媒体のカートリッジを取出す（＝エマージェンシーイジェクト）ための構成として、水平移動部に設けたラックに着脱自在に噛合する最終歯車を、移動部材によって軸方向に移動させて、該ラック部との噛合を外すとした構成が記載され、特開２００４−３１０８１３号公報には、ディスク装置において、エマージェンシーイジェクトを行うとき、エマージェンシーピンＰによりスライダー部材３１を押圧して、ローディングモータの回転出力軸に固定されたウォームギヤ２２と、該ウォームギヤ２２によって駆動されるダブルギヤ２３との間の噛合を解除し、該解除状態で、エマージェンシーピンＰによりギヤ部材３６を押し、ダブルギヤ３８を介してラック主体３４を後退移動させて排出レバー１７を揺動させ、光ディスクを排出するとした構成が記載され、また、特開２００７−２２０２７６号公報には、光機器装置において、エマージェンシーイジェクトを行うとき、ピン７００により、解除レバー６００のギア移動部６３０を介して、ギア３０５ｃを軸方向に押し上げてラック３５５から離脱させ、ギア３０５ｃ、ラック３５５間の噛合を解除し、メインスライダ３５０を手動で作動可能にするとした構成が記載されている。
【０００３】
【特許文献１】特開平６−１８０９１８号公報
【特許文献２】特開２００４−３１０８１３号公報
【特許文献３】特開２００７−２２０２７６号公報
【発明の開示】
【発明が解決しようとする課題】
【０００４】
上記公報記載の従来技術は、非常時においてディスクの排出を行う（以下、エマージェンシーイジェクトという）ときには、ラックの歯とギヤの歯との間の噛合や、ウォームギヤの歯とギヤの歯との間の噛合を解除し、その後、エマージェンシーイジェクト動作が終了して、装置を再び初期の状態に戻すときには、これらギヤの歯を再び噛合状態にする構成である。このため、特に、ギヤ間で歯を噛合状態にするときには、噛合状態になる前に歯の頭部どうしが接触するなどして、それぞれの歯が損傷するおそれがあるし、また、適正な噛合状態とするために、両方の歯の位置関係を適正にする必要があり、そのためには、該噛合のために移動させる方のギヤの移動方向や停止位置などを正確に規制する必要がある。また、噛合の解除を行うときには、ギヤが移動するためのスペースとして、ギヤの回転軸に対して直角な方向のスペースが必要であり、これが装置寸法の増大につながり易いと考えられる。
【０００５】
本発明の課題点は、上記従来技術の状況に鑑み、光ディスク装置において、ローディングモータとディスク移動機構との間で伝達系を構成するギヤ列中の異軸ギヤ間で歯相互の脱着を行うことなく、エマージェンシーイジェクト動作を行えるようにすることである。
本発明の目的は、上記課題点を解決し、信頼性が確保された光ディスク装置を提供することにある。
【課題を解決するための手段】
【０００６】
上記課題点を解決するために、本発明では、光ディスク装置において、ローディングモータ（該当実施例：符号３５０）とディスク移動機構との間で伝達系を構成するギヤ列（該当実施例：符号３６０）中のギヤユニットのうちの少なくとも１つを、大径の従動用ギヤ（該当実施例：符号３６０１）の内径側において該従動用ギヤと同軸に配された原動用ギヤ（該当実施例：符号３６０２）が軸方向に移動可能かつ該従動用ギヤと一体で回転可能に結合されると共に、該原動用ギヤ（該当実施例：符号３６０２）は、該従動用ギヤ（該当実施例：符号３６０１）に対して軸方向に移動変位することにより、次段のギヤ（該当実施例：符号３６０３）との係合（歯どうしの噛合）を保持したままの状態で該従動用ギヤとの上記結合を解除される構成とし、エマージェンシーイジェクト時、手動による外力によって上記結合を解除して上記伝達系を切断状態（オフ状態)とし、上記ディスク移動機構に該外力によるディスク排出動作を行わせ、光ディスクを装置外に排出させる構成とする。
【発明の効果】
【０００７】
本発明によれば、光ディスク装置において、ローディングモータとディスク移動機構との間のギヤ列における異軸ギヤ間での係合を解除せずに、エマージェンシーイジェクト動作を行うことができる。この結果、ギヤ間における歯相互間の脱着動作に起因した歯の損傷や劣化などをなくすことができ、光ディスク装置としての信頼性を確保することができる。また、ギヤの軸位置調整用の機構や軸移動案内用の機構も不要となり、ギヤ列の小型化や薄型化も図り易くなる。
【発明を実施するための最良の形態】
【０００８】
以下、本発明の実施例につき、図面を用いて説明する。
図１〜図１２は本発明の実施例としての光ディスク装置の説明図である。図１は、本発明の実施例としての光ディスク装置の外観図、図２は、図１の光ディスク装置においてトップカバーを外したときの構成を示す図、図３は、図１の光ディスク装置においてボトムケースを外したときの構成を示す図、図４は、図１の光ディスク装置におけるエマージェンシーイジェクト機構の構成を示す斜視図であって、エマージェンシーイジェクト動作前の状態を示す図、図５は、図４のエマージェンシーイジェクト機構を構成するギヤユニットの斜視図、図６は、図５のギヤユニットを構成する原動用ギヤの斜視図、図７は、図４のギヤユニットの軸方向断面図であって、従動用ギヤと原動用ギヤが結合された状態にあるときの構成を示す図、図８は、図１の光ディスク装置におけるエマージェンシーイジェクト機構の構成を示す斜視図であって、エマージェンシーイジェクト動作中の状態を示す図、図９は、図８の構成において押圧部材を除いたときの状態を示す図、図１０は、図４のギヤユニットの軸方向断面図であって、図８の状態にあるときの構成を示す図、図１１は、図１の光ディスク装置におけるエマージェンシーイジェクト機構のアーム部材の動作説明図、図１２は、図１の光ディスク装置におけるエマージェンシーイジェクト機構のエマージェンシーイジェクト動作における各部の変位状態を示す図である。
【０００９】
図１において、１は、本発明の実施例としての薄型スロットイン方式の光ディスク装置、１１は、光ディスク装置１において装置上面側（Ｚ軸方向側）を覆うトップカバー、１１ａは、トップカバー１１の平面内に設けられた孔、１２は、装置底面側（−Ｚ軸方向側）を覆うボトムケース、１３は、装置前面のフロントパネル、１３ａは、光ディスク（図示なし）を装置内に挿入（Ｙ軸方向に挿入）したり、装置内から取出したりするためのフロントパネル１３の開口、１４はイジェクトボタン、１５は、装置の動作状態を表示するＬＥＤ、１６は、光ディスク装置１にエマージェンシーイジェクト動作を行わせるときにエマージェンシーイジェクト用のピン（図示なし）を挿入するためのピン挿入孔、２０は、チャッキング時、光ディスクの中心孔内に挿入され該光ディスクをその半径方向に支持してチャッキングするクランパである。光ディスクは、光ディスク装置１内において、クランパ２０によりチャッキングされている状態、すなわちクランパ２０が光ディスクの中心孔内に挿入されている状態からエマージェンシーイジェクト動作が可能であり、エマージェンシーイジェクトによって、フロントパネル１３の開口１３ａから排出される。
以下、説明中で用いる図１の光ディスク装置における構成要素には、図１の場合と同じ符号を付して用いる。
【００１０】
図２は、トップカバー１１を外したときの光ディスク装置１の表面側（光ディスク装填側）の構成を示す平面図、図３は、ボトムケースを外したときの光ディスク装置１の裏面側の構成を示す平面図である。
図２において、２２は、光ディスク（図示なし）を回転駆動するスピンドルモータ、２０は、スピンドルモータ２２の回転部上に同心状に固定されたクランパ、２１は、スピンドルモータ２２の回転部上にあってクランパ２０の周囲に同心状に配され、該クランパ２０が光ディスクの中心孔内に挿入された状態で該光ディスクの中心孔周囲の平面部（記録または再生される側の平面部）を支持するターンテーブル、２３は、記録または再生時に光ディスクの略半径方向に移動し、光ディスク面にレーザ光を照射する光ピックアップ、２３ａは対物レンズ、２４は、上記スピンドルモータ２２、上記光ピックアップ２３、該光ディスクの略半径方向の移動を行う移動・案内機構部（図示なし）などが固定されるメカデッキ部材、２００は、該メカデッキ部材２４、上記クランパ２０、上記ターンテーブル２１、上記スピンドルモータ２２、上記光ピックアップ２３、上記移動・案内機構部などを備えて成るトラバースユニットである。該トラバースユニット２００は、点Ｑ１、Ｑ２の位置を支点位置として光ディスク装置１内の基準面に対して回動変位し、クランパ２０をＺ軸方向に上昇変位させて光ディスクをチャッキングしたり、該チャッキング後はクランパ２０を−Ｚ軸方向に下降変位させて、光ディスクを、記録または再生動作のために回転可能な状態にしたりする。
【００１１】
また、図２において、３２０は、装置基盤を構成するシャーシ、３５０は、該シャーシ３２０に固定されたローディングモータ、３０１は、フロントパネル１３の開口１３ａから挿入された光ディスクの外周に当接するインサートローラ、３０５は、該インサートローラ３０１が回転可能に取付けられシャーシ３２０上の支点周りに回動可能に取付けられ、回動変位により、インサートローラ３０１とともに、光ディスクをさらに装置内に引き込むすなわちＹ軸方向に移動させてローディングするインサートアーム、３０２は、光ディスクの外周に当接して該光ディスクが装置内を移動するときに該光ディスクをガイド面で支持するガイド部材、３０８は、該ガイド部材３０２が揺動可能に連結され、シャーシ３２０上の支点周りに回動可能な回動リンク、３０３は、光ディスクのローディング時にディスク外周を支持すると共に、アンローディング時（イジェクト時）及びエマージェンシーイジェクト時に光ディスクの外周を押圧するイジェクトローラ、３０９は、該イジェクトローラ３０３が回転可能に取付けられシャーシ３２０上の支点周りに回動可能に取付けられ、アンローディング時（イジェクト時）及びエマージェンシーイジェクト時に、イジェクトローラ３０３とともに、光ディスクを−Ｙ軸方向に移動させてアンローディング（イジェクト）またはエマージェンシーイジェクトするイジェクトアーム、３０４は、光ディスクのローディング時及びアンローディング時、該光ディスクの外周に当接して光ディスクを支持するディスクローラ、３１０は、該ディスクローラ３０４が回転可能に取付けられシャーシ３２０上の支点周りに回動可能に取付けられ、光ディスクのローディング時及びアンローディング時に、ディスクローラ３０４とともに、該光ディスクを支持するディスクレバー、３０６は、インサートアーム３０５と結合され、支点周りに回動可能な構成を有し、光ディスクのローディング時、ローディングモータ３５０の駆動力に基づき回動変位して該インサートアーム３０５を回動変位させるアクションレバーである。
【００１２】
また、図３において、２６は、表面にねじが設けられ、該ねじの回転により光ピックアップ２３を光ディスクの略半径方向に移動させるリードスクリュー部材、２７は、該リードスクリュー部材２６を回転駆動するスライドモータ、２８ａ、２８ｂは、光ピックアップ２３の移動を案内するガイド部材、３５１は、ローディングモータ３５０の出力軸に固定されたウォームギヤ、３６０は、前段のギヤから駆動力を受ける従動用ギヤと次段のギヤに駆動力を与える原動用ギヤとを同軸上に有するギヤユニットが複数個（３個）配されたギヤ列、３７０は、ギヤ列３６０によって駆動されるファンクションレバー、３７０ｒは、ギヤ列３６０の最終段のギヤユニットから駆動力を伝達されるファンクションレバー３７０上のラック部、３２４は、ローディングモータ３５０をオン、オフするローディングスイッチ、３２５は、ファンクションレバー３７０がイジェクト位置に移動したことを検出するイジェクトスイッチ、３２６は、ファンクションレバー３７０が、光ディスク装置１がイニシャル状態（ディスク挿入待ち受け状態）及び記録または再生動作が可能な位置に移動したことを検出するメカモードスイッチ、３８０は、Ｙ軸方向の移動変位により、上記ギヤ列３６０内の１つのギヤユニット内の原動用ギヤ（第２のギヤ）を押圧して軸方向に変位させる押圧部材、３８１は、押圧部材３８０に回動可能に取付けられ該押圧部材３８０の移動動作を規制するアーム部材、３４０は、カム溝を備え、ファンクションレバー３７０の移動変位に基づき±Ｘ軸方向に移動変位可能なカムスライダーである。
【００１３】
上記構成において、ファンクションレバー３７０、カムスライダー３４０、インサートローラ３０１、インサートアーム３０５、アクションレバー３０６、イジェクトローラ３０３、イジェクトアーム３０９、ディスクローラ３０４、ディスクレバー３１０、ガイド部材３０２及び回動リンク３０８は、光ディスクを、装置内に引き込んだり（ローディングしたり）、装置内から外部に向かって排出（アンローディング（イジェクト）またはエマージェンシーイジェクト）したりするディスク移動機構を構成する。また、リードスクリュー部材２６、スライドモータ２７及びガイド部材２８ａ、２８ｂは、光ピックアップ２３を光ディスクの略半径方向に移動かつ案内する移動・案内機構部を構成する。また、ギヤ列３６０、押圧部材３８０及びアーム部材３８１は、エマージェンシーイジェクト時に上記ディスク移動機構を駆動するエマージェンシーイジェクト機構を構成する。
【００１４】
上記ディスク移動機構は、ローディング時及びアンローディング時（イジェクト時）には、ローディングモータ３５０の駆動力に基づき駆動され、エマージェンシーイジェクト時には、手動による外力すなわちフロントパネル１３のピン挿入孔１６から装置内に挿入されたピン（図示なし）による押圧力に基づき駆動される。
【００１５】
アンローディング時（イジェクト時）、イジェクトボタン１４が押されると、光ディスク装置１内の制御回路（図示なし）に電気信号が入力され、該制御回路によって光ディスク装置１内のモータ駆動回路（図示なし）が制御され、スピンドルモータ２２の回転が停止され、その後、ローディングモータ３５０が、ローディング動作の場合とは逆の方向に回転駆動される。該ローディングモータ３５０の駆動力に基づきディスク移動機構が作動する。すなわち、該ローディングモータ３５０の駆動力はファンクションレバー３７０をＹ軸方向に移動変位させる。該ファンクションレバー３７０のＹ軸方向への移動変位により、カムスライダー３４０を含めたメカ部品が、ローディング時とは逆方向に作動する。ファンクションレバー３７０がＹ軸方向に移動変位してイジェクト位置に達すると、イジェクトスイッチ３２５がこれ（ファンクションレバー３７０がイジェクト位置に移動したこと）を検出し、該検出信号が制御回路に入力され、該制御回路によってモータ駆動回路が制御されてローディングモータ３５０の回転が停止される。また、ファンクションレバー３７０がＹ軸方向に移動変位してイジェクト位置に達したとき、該ファンクションレバー３７０の移動変位に基づき、イジェクトアーム３０９が支点周りにディスク排出方向に回動される。イジェクトアーム３０９の該回動によりイジェクトローラ３０３が光ディスク２を−Ｙ軸方向に押す。これによって、光ディスク２が光ディスク装置１から排出される。
【００１６】
エマージェンシーイジェクト時には、スピンドルモータ２２やローディングモータ３５０は電気入力が断たれてオフ状態とされる。該電気入力オフ状態において、フロントパネル１３のピン挿入孔１６から装置内に挿入されたピン（図示なし）の移動による押圧力に基づいてディスク移動機構が作動される。すなわち、ピンの移動とともにファンクションレバー３７０がＹ軸方向に移動変位し、該ファンクションレバー３７０がイジェクト位置に達したとき、該ファンクションレバー３７０の移動変位に基づいてイジェクトアーム３０９が支点周りにディスク排出方向に回動される。イジェクトアーム３０９の該回動によりイジェクトローラ３０３が光ディスク２を−Ｙ軸方向に押し、光ディスク２が光ディスク装置１から排出される。
【００１７】
上記エマージェンシーイジェクト時、ギヤ列３６０における伝達系は切断状態（オフ状態）とされ、ディスク移動機構はローディングモータ３５０の負荷にならないようにされる。すなわち、ファンクションレバー３７０側からみて、ローディングモータ３５０は機械的に切離された状態とされる。光ディスク装置１においては、ギヤ列３６０を構成する３個のギヤユニットのうち、ウォームギヤ３５１に係合された第１段目のギヤユニット内において、ウォームギヤ３５１から駆動力を受ける大径の従動用ギヤ（第１のギヤ）に対し、該従動用ギヤと同軸上に配され次段のギヤユニットの従動用ギヤに駆動力を与える小径の原動用ギヤ（第２のギヤ）を軸方向に移動可能かつ該従動用ギヤと一体で回転可能な構成とすると共に、エマージェンシーイジェクト時には、該原動用ギヤ（第２のギヤ）を軸方向に移動させることにより、該従動用ギヤ（第１のギヤ）と一体で回転可能な結合状態を切離し、該原動用ギヤ（第２のギヤ）が該従動用ギヤ（第１のギヤ）に対して独立して回転することができる構成としている。
以下、説明中で用いる図２、図３に記載の構成における各構成要素には、図２、図３の場合と同じ符号を付して用いる。
【００１８】
図４は、図１の光ディスク装置におけるエマージェンシーイジェクト機構の構成を示す斜視図であって、エマージェンシーイジェクト動作を行う前の状態にあるときの構成を示す図である。
図４において、３６０１は、第１段目のギヤユニット内の大径の従動用ギヤ、３６０２は、第１段目のギヤユニット内の小径の原動用ギヤ、３６０３は、第２段目のギヤユニット内の大径の従動用ギヤ、３６０４は、第２段目のギヤユニット内の小径の原動用ギヤ、３６０５は、第３段目のギヤユニット内の大径の従動用ギヤである。第３段目のギヤユニット内の小径の原動用ギヤは図４には図示されていない。従動用ギヤ３６０１と原動用ギヤ３６０２は、第１段目のギヤユニット内で同軸上に配され、従動用ギヤ３６０３と原動用ギヤ３６０４は、第２段目のギヤユニット内で同軸上に配され、第３段目のギヤユニット内においても、従動用ギヤ３６０５と原動用ギヤは同軸上に配されている。第１段目のギヤユニット、第２段目のギヤユニット及び第３段目のギヤユニットは連結されており、従動用ギヤ３６０１は、ウォームギヤ３５１に係合され、該ウォームギヤ３５１から駆動力を受けて回転し、従動用ギヤ３６０３は、原動用ギヤ３６０２に係合され、該原動用ギヤ３６０２から駆動力を受けて回転し、従動用ギヤ３６０５は、原動用ギヤ３６０４に係合され該原動用ギヤ３６０４から駆動力を受けて回転する。第３段目のギヤユニット内の原動用ギヤ（図示せず）はファンクションレバー３７０のラック部３７０ｒに係合されている。第１段目のギヤユニット内において、第１のギヤとしての従動用ギヤ３６０１と第２のギヤとしての原動用ギヤ３６０２は、従動用ギヤ３６０１の内径（歯の形成された部分よりも中心軸寄りの意）側に設けた結合部において該従動用ギヤ３６０１に対し、軸方向に移動可能かつ該従動用ギヤと一体で回転可能な状態で結合されると共に、該原動用ギヤ３６０２は、エマージェンシーイジェクト時に、軸方向に移動変位することにより、第２段目のギヤユニットの従動用ギヤ３６０３との係合を保持したまま、該従動用ギヤ３６０１に対し、上記結合部における上記結合を解除されて回転可能となる。
【００１９】
また、図４において、３６０２ｓは、第１段目のギヤユニットの軸すなわち従動用ギヤ（第１のギヤ）３６０１と原動用ギヤ（第２のギヤ）３６０２に共通の軸、３９０は、原動用ギヤ（第２のギヤ）３６０２の−Ｚ軸方向の上部に設けられ、全周にわたって傾斜面が形成された被押圧部、３９０ａは、該被押圧部３９０の表面のうち、軸３６０２ｓに近い側に形成され該軸３６０２ｓに直角な表面部分（以下、平面部分という）、３９０ｂは、部材３９０の表面のうち、傾斜面が形成された傾斜面部分、３８０ａ１は、押圧部材３８０の押圧部３８０ａの第１の部分、３８０ａ２は、同じく第２の部分、３８０ａ３は、同じく第３の部分である。押圧部材３８０の押圧部３８０ａの第１の部分３８０ａ１及び第３の部分３８０ａ３はいずれも、Ｚ軸方向の面が、軸３６０２ｓに対して略直角な面であり、第２の部分３８０ａ２は、軸３６０２ｓに対し傾斜した面となっている。また、３８１ａは、押圧部材３８０上に設けられたアーム部材３８１の回動支点、１６０は、シャーシ３２０上において、フロントパネル１３のピン挿入孔１６と一致する位置に設けられたピン挿入孔、３８２は、押圧部材３８０とシャーシ３２０との間に接続され該押圧部材３８０に−Ｙ軸方向の弾性復元力を作用させる引張りコイルばね、３２０ｓは、シャーシ３２０の−Ｚ軸方向の側壁、３２０ｓｉは、該側壁３２０ｓの内面、４００は、エマージェンシーイジェクト時に、ピン挿入孔１６、１６０から挿入されるピンである。
【００２０】
図４の構成において、エマージェンシーイジェクトのために、ピン４００がピン挿入孔１６０から挿入され、Ｙ軸方向に移動するとき、アーム部材３８１の、押圧部材３８０上に設けられた回動支点３８１ａよりもＸ軸方向側にあるアーム部（一方のアーム部）をＹ軸方向に押す。該押されることで、アーム部材３８１は、引張りコイルばね３８２の弾性復元力に抗してＹ軸方向に移動変位しながら回動支点３８１ａ周りに時計方向に回動する。このとき、アーム部材３８１の、回動支点３８１ａよりも−Ｘ軸方向側にあるアーム部（他方のアーム部）が上記シャーシ３２０の−Ｚ軸方向の側壁３２０ｓの内面３２０ｓｉ側に当接したまま、該当接部が該内面３２０ｓｉ側の面上を摺動してＸ軸方向に移動する。アーム部材３８１がＹ軸方向に移動することで、押圧部材３８０もＹ軸方向に移動し、その押圧部３８０ａが第１段目のギヤユニット内の被押圧部３９０を、傾斜面部分３９０ｂ、平面部分３９０ａの順で押し、原動用ギヤ（第２のギヤ）３６０２を該被押圧部３９０とともにＺ軸方向に移動変位させる。原動用ギヤ（第２のギヤ）３６０２の該移動により、該原動用ギヤ３６０２は、従動用ギヤ３６０１の内径側の結合部における該従動用ギヤ３６０１との一体で回転可能な結合を解除される。該結合が解除されることで、ギヤ列３６０における伝達系が切断状態（オフ状態）とされる。また、この時、原動用ギヤ３６０２は、第２段目のギヤユニットの従動用ギヤ３６０３と係合された状態のまま上記Ｚ軸方向に移動変位する。
以下、説明中で用いる図４の構成の構成要素には、図４の場合と同じ符号を付して用いる。
【００２１】
図５は、図４のエマージェンシーイジェクト機構を構成する第１段目のギヤユニットの斜視図である。
図５において、３６０１ｂは、従動用ギヤ（第１のギヤ）３６０１の内径側において結合部を構成する複数の第１の突出部、３６０２ｂは、原動用ギヤ（第２のギヤ）３６０２上にあって、上記従動用ギヤ３６０１の上記第１の突出部３６０１ｂとともに上記結合部を構成する複数の第２の突出部である。第１の突出部３６０１ｂは、従動用ギヤ３６０１の内径側部分において半径方向内側に突出された構成であり、第２の突出部３６０２ｂは、原動用ギヤ３６０２上にあって半径方向外側に突出されかつそれぞれの周方向幅寸法を、上記第１の突出部３６０１ｂ間の周方向の間隔よりも若干小さくした構成となっている。
以下、説明中で用いる図５の構成の構成要素には、図５の場合と同じ符号を付して用いる。
【００２２】
図６は、図５の第１段目のギヤユニットを構成する原動用ギヤ３６０２の斜視図である。
図６において、３６０２ａは、原動用ギヤ３６０２の歯、３６０２ｄは、原動用ギヤ３６０２における第２の突出部３６０２ｂが、従動用ギヤ３６０１の第１の突出部３６０１ｂと結合した状態において、原動用ギヤ３６０２の−Ｚ軸方向の高さ位置を保持するための高さ位置保持用突出部である。該高さ位置保持用突出部３６０２ｄは、従動用ギヤ３６０１の第１の突出部３６０１ｂの下面（Ｚ軸方向面）と係合することにより、原動用ギヤ３６０２の−Ｚ軸方向の高さ位置を保持する。
以下、説明中で用いる図６の構成の構成要素には、図６の場合と同じ符号を付して用いる。
【００２３】
図７は、図４のギヤユニットのうち第１段目のギヤユニットの軸方向断面図であって、従動用ギヤ３６０１と原動用ギヤ３６０２が、一体で回転可能な状態に、結合部において結合されているときの構成を示す図である。
図７において、３９１は、従動用ギヤ３６０１と原動用ギヤ３６０２との間に配され−Ｚ軸方向の弾性復元力を生ずる圧縮コイルばね、３８０ａ１ｉは、押圧部材３８０の押圧部３８０ａの第１の部分３８０ａ１におけるＺ軸方向側の面、３８０ａ２ｉは、押圧部材３８０の押圧部３８０ａの傾斜した第２の部分３８０ａ２におけるＺ軸方向側の面、３８０ａ３ｉは、押圧部材３８０の押圧部３８０ａの第３の部分３８０ａ３におけるＺ軸方向側の面、３６０１ｅは、従動用ギヤ３６０１の中心部のカラー部、３６０２ｃは、軸３６０２ｓの中心を通る中心軸である。従動用ギヤ（第１のギヤ）３６０１は、カラー部３６０１ｅにおいて軸３６０２ｓに回転可能に軸支され、原動用ギヤ（第２のギヤ）３６０２は、カラー部３６０１ｅに対し回転可能で、かつ、軸３６０２ｓの方向すなわちＺ軸方向に移動変位可能な状態とされている。圧縮コイルばね３９１は、カラー部３６０１ｅ周辺に図示の如くはめ込まれ、原動用ギヤ３６０２に対して−Ｚ軸方向の弾性復元力を作用させている。原動用ギヤ３６０２の高さ位置保持用突出部３６０２ｄは、従動用ギヤ３６０１の第１の突出部３６０１ｂの下面（Ｚ軸方向面）と係合している。該係合された状態において、原動用ギヤ３６０２の第２の突出部３６０２ｂは、従動用ギヤ３６０１の第１の突出部３６０１ｂ間の空間部に入り込んだ状態で該従動用ギヤ３６０１の回転方向にある第１の突出部３６０１ｂの周方向側面に当接している。該当接部（軸方向に重なる部分）のＺ軸方向の長さは０．５×１０−３ｍ程度としている。また、該当接状態により従動用ギヤ３６０１と原動用ギヤ３６０２は一体で回転可能となっている。従動用ギヤ３６０３の歯のＺ軸方向の長さと原動用ギヤ３６０２の歯３６０２ａのＺ軸方向の長さとの関係は、原動用ギヤ３６０２がＺ軸方向に移動変位して、該原動用ギヤ３６０２の第２の突出部３６０２ｂと、従動用ギヤ３６０１の第１の突出部３６０１ｂとの一体で回転可能な結合（上記当接状態）が解除された場合にも、原動用ギヤ３６０２の歯３６０２ａと従動用ギヤ３６０３の歯との噛合（係合）が保持される関係となっている。
以下、説明中で用いる図７の構成の構成要素には、図７の場合と同じ符号を付して用いる。
【００２４】
図８は、図１の光ディスク装置１におけるエマージェンシーイジェクト機構の構成を示す斜視図であって、エマージェンシーイジェクト動作中の状態を示す図である。
図８において、エマージェンシーイジェクトのために、ピン４００がピン挿入孔１６０から挿入され、Ｙ軸方向に移動するとき、アーム部材３８１の、押圧部材３８０上に設けられた回動支点３８１ａよりもＸ軸方向側にあるアーム部（一方のアーム部）をＹ軸方向に押す。アーム部材３８１は、引張りコイルばね３８２（図４）の弾性復元力に抗してＹ軸方向に移動変位しながら回動支点３８１ａ周りに時計方向に回動する。このとき、アーム部材３８１の、回動支点３８１ａよりも−Ｘ軸方向側にあるアーム部（他方のアーム部）が上記シャーシ３２０の−Ｚ軸方向の側壁３２０ｓの内面３２０ｓｉ側に当接したまま、該当接部が該内面３２０ｓｉ側の面上を摺動してＸ軸方向に移動する。アーム部材３８１がＹ軸方向に移動することで、回動支点３８１ａでアーム部材３８１と結合されている押圧部材３８０もＹ軸方向に移動し、その押圧部３８０ａが第１段目のギヤユニット内の被押圧部３９０を、傾斜面部分３９０ｂ、平面部分３９０ａの順で押し、原動用ギヤ（第２のギヤ）３６０２を該被押圧部３９０とともにＺ軸方向に移動変位させる。原動用ギヤ（第２のギヤ）３６０２の該移動により、該原動用ギヤ３６０２は、従動用ギヤ３６０１の内径側の結合部における該従動用ギヤ３６０１との一体で回転可能な結合（当接状態）が解除される。すなわち、原動用ギヤ（第２のギヤ）３６０２の第２の突出部３６０２ｂと、従動用ギヤ（第１のギヤ）３６０１の第１の突出部３６０１ｂとの結合（当接状態）が解除される。該結合が解除されることで、ギヤ列３６０における伝達系が切断状態（オフ状態）とされる。原動用ギヤ３６０２は、上記Ｚ軸方向に移動変位するとき、第２段目のギヤユニットの従動用ギヤ３６０３と係合された状態のまま移動変位し、上記結合が解除された状態においても、該従動用ギヤ３６０３との係合状態を保持する。原動用ギヤ（第２のギヤ）３６０２の第２の突出部３６０２ｂと、従動用ギヤ（第１のギヤ）３６０１の第１の突出部３６０１ｂとの結合が解除された後、アーム部材３８１の回動に伴い、Ｙ軸方向に移動するピン４００の先端が、アーム部材３８１の回動支点３８１ａよりもＸ軸方向側にあるアーム部（一方のアーム部）から外れる。該外れることによって、該アーム部材３８１は、ピン４００によって押されなくなり、回動支点３８１ａ周りの回動及びＹ軸方向への移動を停止する。
【００２５】
アーム部材３８１が回動及び移動を停止した後も、ピン４００はＹ軸方向に移動される。該移動によって、ピン４００の先端がファンクションレバー３７０を押し、該ファンクションレバー３７０を含むディスク移動機構が、エマージェンシーイジェクトとしての光ディスクの排出を行う。ピン４００が、アーム部材３８１の停止後、該移動を行うとき、アーム部材３８１の一方のアーム部はピン４００の側面部に当接され、他方のアーム部は、シャーシ３２０の側壁３２０ｓの内面３２０ｓｉ側に当接された状態になっている。このとき、該それぞれのアーム部は、引張りコイルばね３８２の弾性復元力によって、ピン４００の側面部やシャーシ３２０の側壁３２０ｓの内面３２０ｓｉ側に、該それぞれのアーム部が押し付けられた状態で当接保持される。アーム部材３８１は、かかる当接保持状態とされることで、−Ｙ軸方向への戻り移動動作と、回動支点３８１ａ周りの反時計方向の戻り回動動作とを阻止され、押圧部材３８０の押圧部３８０ａの−Ｙ軸方向への戻り移動が防止される。
以下、説明中で図８の構成の構成要素を用いる場合には、図８の場合と同じ符号を付して用いる。
【００２６】
図９は、図８の構成において押圧部材３８０を除いたときの状態を示す図である。
図９において、３８１ｂ１は、アーム部材３８１の、回動支点３８１ａよりもＸ軸方向側にあるアーム部すなわち一方のアーム部、３８１ｂ２は、アーム部材３８１の、回動支点３８１ａよりも−Ｘ軸方向側にあるアーム部すなわち他方のアーム部である。図９では、ピン４００の先端が既に、アーム部材３８１の一方のアーム３８１ｂ１から外れ、さらにＹ軸方向に移動して、ファンクションレバー３７０をＹ軸方向に押しているときの状態を示す。原動用ギヤ（第２のギヤ）３６０２は既に、Ｚ軸方向に移動変位され、その第２の突出部３６０２ｂと、従動用ギヤ（第１のギヤ）３６０１の第１の突出部３６０１ｂとの結合（当接状態）が解除されている。また、アーム部材３８１は、一方のアーム部３８１ｂ１がピン４００の側面部に当接され、他方のアーム部３８１ｂ２がシャーシ３２０の側壁３２０ｓの内面３２０ｓｉ側に当接されている。回動支点３８１ａは上記両当接位置間にある。なお、他方のアーム部３８１ｂ２は、シャーシ３２０の側壁３２０ｓの内面３２０ｓｉ側に対し、直接当接されてもよいし、または、板状部材などを介して間接的に当接されてもよい。
以下、説明中で図９の構成の構成要素を用いる場合には、図９の場合と同じ符号を付して用いる。
【００２７】
図１０は、第１段目のギヤユニットの軸方向断面図であって、該第１段目のギヤユニットが上記図８の状態にあるときの構成を示す図である。
図１０において、押圧部材３８０の押圧部３８０ａの第１の部分３８０ａ１のＺ軸方向側の面３８０ａ１ｉが被押圧部３９０の平面部分３９０ａを、圧縮コイルばね３９１の弾性復元力に抗してＺ軸方向に押している。該状態は、押圧部材３８０の押圧部３８０ａが、図７の状態における位置からＹ軸方向に移動変位することにより形成される。押圧部３８０ａは最初、Ｙ軸方向の移動変位により、第３の部分３８０ａ３のＺ軸方向側の面３８０ａ３ｉが、被押圧部３９０の傾斜面部分３９０ｂに当接し、該傾斜面部分３９０ｂ上をすべりながら該傾斜面部分３９０ｂをＺ軸方向に押す。次に、該押圧部３８０ａの第２の部分３８０ａ２のＺ軸方向側の面３８０ａ２ｉが、被押圧部３９０の傾斜面部分３９０ｂに当接し、該傾斜面部分３９０ｂ上をすべりながら該傾斜面部分３９０ｂをＺ軸方向に押す。次に、該押圧部３８０ａの第１の部分３８０ａ１のＺ軸方向側の面３８０ａ１ｉが、被押圧部３９０の傾斜面部分３９０ｂに当接し、該傾斜面部分３９０ｂ上をすべりながら該傾斜面部分３９０ｂをＺ軸方向に押す。最後に、該押圧部３８０ａの第１の部分３８０ａ１のＺ軸方向側の面３８０ａ１ｉが、被押圧部３９０の平面部分３９０ａに当接し、該平面部分３９０ａをＺ軸方向に押す。このように、押圧部材３８０の押圧部３８０ａがＹ軸方向に移動変位することによって、被押圧部３９０がＺ軸方向に押されて移動し、被押圧部３９０の該移動によって原動用ギヤ３６０２がＺ軸方向に移動変位し、該原動用ギヤ３６０２の第２の突出部３６０２ｂと、従動ギヤ３６０１の第１の突出部３６０１ｂとの結合（当接状態）が解除され、これによって、原動用ギヤ３６０２は、従動ギヤ３６０１に対して、一体状態を解かれ独立して回転可能となる。該第２の突出部３６０２ｂと、該第１の突出部３６０１ｂとの結合が解除された場合にも、原動用ギヤ３６０２の歯３６０２ａと従動用ギヤ３６０３の歯との間の噛合（係合）は保持されている。
【００２８】
図１１は、図１の光ディスク装置１におけるエマージェンシーイジェクト機構のアーム部材３８１の動作説明図である。
図１１において、３７はディスク移動機構、４００ａは、ピン４００の表面である。エマージェンシーイジェクト時、ピン４００が、フロントパネル１３のピン挿入孔１６及びシャーシ３２０のピン挿入孔１６０を通って装置内にＹ軸方向に挿入されると、該ピン４００の先端は、Ｙ軸方向に移動することにより、アーム部材３８１を押し、該アーム部材３８１の状態を状態Ａ、状態Ｂ、状態Ｃの順で変化させる。
【００２９】
（状態Ａ）：ピン４００の先端は、Ｙ軸方向位置Ｐ１において、アーム部材３８１の、回動支点３８１ａよりもＸ軸方向側にある一方のアーム部３８１ｂ１に点ａ１で当接し、引張りコイルばね３８２（図４）の弾性復元力に抗して該アーム部材３８１をＹ軸方向に押す。このとき、アーム部材３８１の、回動支点３８１ａよりも−Ｘ軸方向側にある他方のアーム部３８１ｂ２は、シャーシ３２０の側壁３２０ｓの内面３２０ｓｉ側に点ａ２において当接する。点ａ２においても、アーム部材３８１は、引張りコイルばね３８２（図４）の弾性復元力によりシャーシ３２０の側壁３２０ｓの内面３２０ｓｉ側に押し付けられる。
【００３０】
（状態Ｂ）：ピン４００がさらにＹ軸方向に移動して、その先端がアーム部材３８１の一方のアーム部３８１ｂ１を押し、該一方のアーム部３８１ｂ１をＹ軸方向に移動変位させるとともに回動支点３８１ａ周りにも時計方向に回動させる。ピン４００の先端は、Ｙ軸方向位置Ｐ２において、アーム部材３８１の一方のアーム部３８１ｂ１に点ｂ１で当接し、引張りコイルばね３８２（図４）の弾性復元力に抗して該アーム部材３８１をＹ軸方向に押す。このとき、アーム部材３８１の他方のアーム部３８１ｂ２は、シャーシ３２０の側壁３２０ｓの内面３２０ｓｉ側に点ｂ２において当接する。点ｂ２においても、アーム部材３８１は、引張りコイルばね３８２（図４）の弾性復元力によりシャーシ３２０の側壁３２０ｓの内面３２０ｓｉ側に押し付けられる。点ｂ１は、アーム部材３８１の一方のアーム部３８１ｂ１上において、上記状態Ａにおける点ａ１よりもアーム部３８１ｂ１の先端に近い位置にあり、点ｂ２は、シャーシ３２０の側壁３２０ｓの内面３２０ｓｉ側において、上記状態Ａにおける点ａ２よりもピン４００に近い位置にある。本状態Ｂのとき、押圧部材３８０の押圧部３８０ａは、原動用ギヤ３６０２の被押圧部３９０を押し始める。
【００３１】
（状態Ｃ）ピン４００がさらにＹ軸方向に移動して、その先端がアーム部材３８１の一方のアーム部３８１ｂ１から外れ、該一方のアーム部３８１ｂ１のＹ軸方向への移動及び回動支点３８１ａ周りの回動が停止される。ピン４００に対してはその側面に、Ｙ軸方向位置Ｐ４において、アーム部材３８１の一方のアーム部３８１ｂ１が点ｃ１で当接し、引張りコイルばね３８２（図４）の弾性復元力で該アーム部材３８１の一方のアーム部３８１ｂ１をピン４００の側面に押し付ける。このとき、アーム部材３８１の他方のアーム部３８１ｂ２は、シャーシ３２０の側壁３２０ｓの内面３２０ｓｉ側に点ｃ２において当接する。点ｃ２においても、アーム部材３８１は、引張りコイルばね３８２（図４）の弾性復元力によりシャーシ３２０の側壁３２０ｓの内面３２０ｓｉ側に押し付けられる。点ｃ１は、アーム部材３８１の一方のアーム部３８１ｂ１上において、上記状態Ｂにおける点ｂ１よりもアーム部３８１ｂ１の先端に近い位置にあり、点ｃ２は、シャーシ３２０の側壁３２０ｓの内面３２０ｓｉ側において、上記状態Ｂにおける点ｂ２よりもピン４００に近い位置にある。本状態Ｃのとき、押圧部材３８０の押圧部３８０ａは、原動用ギヤ３６０２の被押圧部３９０を押してＺ軸方向に移動変位させ、該原動用ギヤ３６０２の従動用ギヤ３６０１との結合（当接状態）を解除した状態にしている。
【００３２】
ピン４００は、その表面４００ａにアーム部材３８１の一方のアーム部３８１ｂ１が押し付けられたままＹ軸方向に移動して、Ｙ軸方向位置Ｐ４において、その先端がファンクションレバー３７０を押す。ピン４００はさらにＹ軸方向に移動して、該ファンクションレバー３７０をＹ軸方向に移動変位させ、ディスク移動機構３７に光ディスクを排出（エマージェンシーイジェクト）させる。ｑ−ｑは、アーム部材３８１の回動支点３８１ａの移動方向を示す直線である。
【００３３】
図１２は、図１の光ディスク装置１におけるエマージェンシーイジェクト機構のエマージェンシーイジェクト動作における各部の変位状態を示す図である。
図１２において、（ａ）は、ピン４００のＹ軸方向の移動変位ζａ、（ｂ）は、アーム部材３８１のＹ軸方向の移動変位ζｂ、（ｃ）は、押圧部材３８０のＹ軸方向の移動変位ζｃ、（ｄ）は、第２のギヤである原動用ギヤ３６０２のＺ軸方向の移動変位ζｄ、（ｅ）は、第１段目のギヤユニットにおける従動用ギヤ（第１のギヤ）３６０１と原動用ギヤ（第２のギヤ）３６０２の結合が解除される位置、（ｆ）は、ディスク移動機構３７としてのファンクションレバー３７０のＹ軸方向の移動変位ζｆ、（ｇ）は、光ディスクの−Ｙ軸方向の移動変位ζｇを、それぞれ示す。図１２においては、フロントパネル１３のピン挿入孔１６に挿入され始める（エマージェンシーイジェクトされ始める）ときのピン４００の先端のＹ軸方向位置をＰ０としている。
【００３４】
ピン４００がピン挿入孔１６から挿入されると、該ピン４００の先端は、Ｙ軸方向位置Ｐ１でアーム部材３８１のアーム部３８１ｂ１に当接し、該アーム部３８１ｂ１をＹ軸方向に押す。この結果、アーム部材３８１は、Ｙ軸方向位置Ｐ１でＹ軸方向に変位ζｂの特性での移動変位を開始する（（ｂ））。回動支点３８１ａにおいて該アーム部材３８１と結合されている押圧部材３８０もＹ軸方向位置Ｐ１でＹ軸方向に変位ζｃの特性での移動変位を開始する（（ｃ））。ピン４００の先端がさらにＹ軸方向に移動し、Ｙ軸方向位置Ｐ２にきたとき、押圧部材３８０の押圧部３８０ａは、第１段目のギヤユニット内の原動用ギヤ（第２のギヤ）３６０２の被押圧部３９０をＺ軸方向に押す。この結果、該Ｙ軸方向位置Ｐ２において、該原動用ギヤ（第２のギヤ）３６０２はＺ軸方向に変位ζｄの特性での移動変位を開始する。その後、該原動用ギヤ（第２のギヤ）３６０２がＺ軸方向に変位ζｄｚだけ移動変位したＹ軸方向位置Ｐ３で、従動用ギヤ（第１のギヤ）３６０１の第１の突出部３６０１ｂと原動用ギヤ（第２のギヤ）３６０２の第２の突出部３６０２ｂの結合がオフされる（（ｄ））。該両突出部３６０１ｂ、３６０２ｂの結合がオフされることにより、該Ｙ軸方向位置Ｐ３で、従動用ギヤ（第１のギヤ）３６０１と原動用ギヤ（第２のギヤ）３６０２の結合が解除される（（ｅ））。
【００３５】
ピン４００の先端がさらにＹ軸方向に移動し、Ｙ軸方向位置Ｐ４にきたとき、該ピン４００の先端はアーム部材３８１の一方のアーム部３８１ｂ１から外れる（図１１における状態Ｃ）。この結果、アーム部材３８１及び押圧部材３８０のＹ軸方向への移動が停止される。アーム部材３８１及び押圧部材３８０は該停止位置に保持される。ピン４００の先端がさらにＹ軸方向に移動し、Ｙ軸方向位置Ｐ５にきたとき、ディスク移動機構３７としてのファンクションレバー３７０に当接するが、この時は既に原動用ギヤ３６０２は従動ギヤ３６０１との結合が解除されているため、該ピン４００は、ローディングモータ３５０側の負荷を、ファンクションレバー３７０や原動用ギヤ３６０２などを介して、従動ギヤ３６０１から受けることなく、該ファンクションレバー３７０をＹ軸方向に変位ζｆの特性で移動変位させることができる（（ｆ））。ファンクションレバー３７０の該移動変位により、装置内の光ディスクは、ピン４００の先端がＹ軸方向位置Ｐ６にきたとき、ディスク移動機構３７により、−Ｙ軸方向に変位ζｇの特性での排出移動を開始する（（ｇ））。ピン４００の先端がＹ軸方向位置Ｐ７にきたとき、ディスク移動機構３７によって光ディスクが、フロントパネル１３の開口１３ａから排出され、エマージェンシーイジェクトが終了する。
【００３６】
エマージェンシーイジェクトの終了後、ピン４００はピン挿入孔１６０、１６から抜かれる。ピン４００が抜かれると、引張りコイルばね３８２の弾性復元力によって、アーム部材３８１がピン４００の表面４００ａとの当接状態を解かれ、回動支点３８１ａ周りに反時計方向に回動するとともに、押圧部材３８０が−Ｙ軸方向に移動して、押圧部３８０ａを原動用ギヤ（第２のギヤ）３６０２の被押圧部３９０上から−Ｙ軸方向に退避させる。このとき、従動用ギヤ（第１のギヤ）３６０１の第１の突出部３６０１ｂと原動用ギヤ（第２のギヤ）３６０２の第２の突出部３６０２ｂとがＸＹ平面内でオーバーラップしていなければ、該原動用ギヤ３６０２は、次段のギヤユニットの従動用ギヤ３６０３に係合されたまま、圧縮コイルばね３９１の弾性復元力で−Ｚ軸方向に移動変位し、隣接する第１の突出部３６０１ｂ間の空間部に第２の突出部３６０２ｂが入り込み、該両突出部３６０１ｂ、３６０２ｂが互いに結合された状態に復帰する。この状態において、原動用ギヤ３６０２上の高さ位置保持用突出部３６０２ｄは従動用ギヤ３６０１の第１の突出部３６０１ｂと係合された状態となっている。従動用ギヤ（第１のギヤ）３６０１の第１の突出部３６０１ｂと原動用ギヤ（第２のギヤ）３６０２の第２の突出部３６０２ｂとがＸＹ平面内でオーバーラップしている場合は、その後、光ディスク装置１の電源がオン状態にされ、ローディングモータ３５０が回転駆動されると、該ローディングモータ３５０の回転により、ウォームギヤ３５１を介して従動用ギヤ３６０１が回転し、隣接する第１の突出部３６０１ｂ間の空間部に第２の突出部３６０２ｂが入り込み、該両突出部３６０１ｂ、３６０２ｂが互いに結合された状態に復帰する。該復帰動作を円滑に行う為に原動用ギヤ３６０２の第２の突出部３６０２ｂは、従動用ギヤ３６０１の第１の突出部３６０１ｂ間の周方向の間隔よりも若干（中心軸３６０２ｃに対する開角で５度程度）小さくした構成としている。次に、該従動用ギヤ３６０１の第１の突出部３６０１ｂが原動用ギヤ３６０２の第２の突出部３６０２ｂに当接して、原動用ギヤ３６０２が回転し、駆動力が、従動用ギヤ３６０３、原動用ギヤ３６０４、従動用ギヤ３６０５などを経てファンクションレバー３７０に伝達される。これによって、ファンクションレバー３７０が移動変位し、ディスク移動機構３７は初期状態に戻る。
【００３７】
本発明の実施例としての上記光ディスク装置１によれば、ローディングモータ３５０とディスク移動機構３７との間のギヤ列３６０における異軸ギヤ間すなわち原動用ギヤ３６０２と次段の従動用ギヤ３６０３と間の係合を保持したまま、エマージェンシーイジェクトを行うことができる。この結果、ギヤ間における歯相互間の脱着動作に起因した歯の損傷や劣化をなくすことができ、光ディスク装置としての信頼性を確保することができる。また、ギヤの軸位置調整用の機構や軸移動案内用の機構も不要となり、ギヤ列の小型化や薄型化も図り易くなる。
【００３８】
なお、押圧部材３８０における押圧部３８０ａは、該押圧部材３８０と一体状に構成されてもよいし、該押圧部材３８０と別個の部品として構成されてもよい。また、原動用ギヤ３６０２の被押圧部３９０も、該原動用ギヤ３６０２と一体状に構成されてもよいし、該原動用ギヤ３６０２と別個の部品として構成されてもよい。また、アーム部材３８１のアーム部３８１ｂ２は、シャーシ３２０の側壁３２０ｓの内面３２０ｓｉ側に対し、直接当接してもよいし、または板状部材やシート状部材などを介して間接的に当接してもよい。
【図面の簡単な説明】
【００３９】
【図１】本発明の実施例としての光ディスク装置の外観図である。
【図２】図１の光ディスク装置においてトップカバーを外したときの構成を示す図である。
【図３】図１の光ディスク装置においてボトムケースを外したときの構成を示す図である。
【図４】図１の光ディスク装置におけるエマージェンシーイジェクト機構の構成を示す斜視図であって、エマージェンシーイジェクト動作前の状態を示す図である。
【図５】図４のエマージェンシーイジェクト機構を構成するギヤユニットの斜視図である。
【図６】図５のギヤユニットを構成する原動用ギヤの斜視図である。
【図７】図４のギヤユニットの軸方向断面図であって、従動用ギヤと原動用ギヤが結合された状態にあるときの構成を示す図である。
【図８】図１の光ディスク装置におけるエマージェンシーイジェクト機構の構成を示す斜視図であって、エマージェンシーイジェクト動作中の状態を示す図である。
【図９】図８の構成において押圧部材を除いたときの状態を示す図である。
【図１０】図４のギヤユニットの軸方向断面図であって、図８の状態にあるときの構成を示す図である。
【図１１】図１の光ディスク装置におけるエマージェンシーイジェクト機構のアーム部材の動作説明図である。
【図１２】図１の光ディスク装置におけるエマージェンシーイジェクト機構のエマージェンシーイジェクト動作における各部の変位状態を示す図である。
【符号の説明】
【００４０】
１…光ディスク装置、
１１…トップカバー、
１１ａ…孔、
１２…ボトムケース、
１３…フロントパネル、
１３ａ…開口、
１４…イジェクトボタン、
１５…ＬＥＤ、
１６、１６０…ピン挿入孔、
２００…トラバースユニット、
２０…クランパ、
２１…ターンテーブル、
２２…スピンドルモータ、
２３…光ピックアップ、
２４…メカデッキ部材、
２６…リードスクリュー、
２７…スライドモータ、
２８ａ、２８ｂ…ガイド部材、
３０１…インサートローラ、
３０２…ガイド部材、
３０３…イジェクトローラ、
３０４…ディスクローラ、
３０５…インサートアーム、
３０６…アクションレバー、
３０８…回動リンク、
３０９…イジェクトアーム、
３１０…ディスクレバー、
３２０…シャーシ、
３２４…ローディングスイッチ、
３２５…イジェクトスイッチ、
３２６…メカモードスイッチ、
３４０…カムスライダー、
３５０…ローディングモータ、
３５１…ウォームギヤ、
３６０…ギア列、
３６０１、３６０３、３６０５…従動用ギヤ、
３６０１ｂ…第１の突出部、
３６０２、３６０４…原動用ギヤ、
３６０２ｂ…第２の突出部、
３６０２ｄ…高さ位置保持用突出部、
３７…ディスク移動機構、
３７０…ファンクションレバー、
３７０ｒ…ラック部、
３８０…押圧部材、
３８０ａ…押圧部、
３８１…アーム部材、
３８１ａ…回動支点、
３８２…引張りコイルばね、
３９０…被押圧部、
３９１…圧縮コイルばね、
４００…ピン。
【図１】
2010080034.tif 000003
【図２】
2010080034.tif 000004
【図３】
2010080034.tif 000005
【図４】
2010080034.tif 000006
【図５】
2010080034.tif 000007
【図６】
2010080034.tif 000008
【図７】
2010080034.tif 000009
【図８】
2010080034.tif 000010
【図９】
2010080034.tif 000011
【図１０】
2010080034.tif 000012
【図１１】
2010080034.tif 000013
【図１２】
2010080034.tif 000014